(57)【要約】【課題】余長部分のカットを不要としつつも、作業効率の低下を抑制し、且つ、異音の発生についても抑制することが可能なバンドクリップを提供する。【解決手段】バンドクリップ１は、電線束からなるワイヤーハーネスを巻き締めるバンド部１０と、バンド部１０を巻締状態で固定するバンド固定部２０と、対象物に係合するクリップ３０とが一体となったものである。また、バンド部１０は、バンド部１０の外周側に設けられるアーチ部１３を有し、アーチ部１３は、バンド部１０が挿通可能な挿通孔１３ａを有している。【選択図】図１
2009115241.tif 000002
【特許請求の範囲】
【請求項１】
電線束からなるワイヤーハーネスを巻き締めるバンド部と、前記バンド部を巻締状態で固定するバンド固定部と、対象物に係合するクリップとが一体となったバンドクリップであって、
前記バンド部は、当該バンド部が巻き締められた状態で外周側に設けられるアーチ部を有し、
前記アーチ部は、当該バンド部が挿通可能な挿通孔を有している
ことを特徴とするバンドクリップ。
【請求項２】
前記アーチ部は、当該バンド部の長手方向に亘って複数設けられている
ことを特徴とする請求項１に記載のバンドクリップ。
【請求項３】
前記アーチ部は、前記挿通孔の内壁に、前記バンド部が前記挿通孔に挿通された場合に当該バンド部を押圧する突起部を有する
ことを特徴とする請求項１又は請求項２のいずれかに記載のバンドクリップ。
【請求項４】
前記バンド部は、当該バンド部の先端に設けられ、先端側からその反対側となる後端側に向かって肉厚が次第に厚くなる傾斜構造となったヘッド部を有し、
前記ヘッド部の後端側の肉厚は、挿通孔の肉厚方向の大きさよりも大きくなっている
ことを特徴とする請求項１から請求項３のいずれか１項に記載のバンドクリップ。
【請求項５】
前記ヘッド部は、当該バンド部が巻き締められた状態で内周側に係止部を有し、
前記バンド部は、当該バンド部が巻き締められた状態で外周側に、前記係止部に係止可能な被係止部が長手方向に亘って形成されている
ことを特徴とする請求項４に記載のバンドクリップ。
【請求項６】
前記バンド部は、長手方向に亘って、長手方向と直交する方向に形成された複数の溝部を有し、
前記バンド固定部及び前記各アーチ部は、前記複数の溝部に選択的に係合する舌部を有する
ことを特徴とする請求項１から請求項５のいずれか１項に記載のバンドクリップ。
【発明の詳細な説明】
【技術分野】
【０００１】
本発明は、バンドクリップに関する。
【背景技術】
【０００２】
従来、電線束からなるワイヤーハーネスを結束するバンドクリップが知られている。このようなバンドクリップは、主として、ワイヤーハーネスを巻き締める長尺のバンド部と、バンド部を巻締状態で固定するバンド固定部と、車両パネル等の対象物に係合するクリップ部とからなっている。また、バンドクリップは以下のようにして作業者に使用される。すなわち、まず作業者は、長尺のバンド部をワイヤーハーネスに巻き締め、巻き締めた後にバンド部をバンド固定部によって固定する。これにより、ワイヤーハーネスは、バンドクリップに巻き締め固定されることとなる。この状態で、作業者は、クリップ部を車両パネル等に係合させる。以上により、ワイヤーハーネスは、車両パネル等に固定された状態で配索されることとなる。
【０００３】
また、複数のワイヤーハーネスを結束するバンドクリップが提案されている。このバンドクリップは、バンド固定部を複数有しており、或るワイヤーハーネスにバンド部を巻き締めた後にバンド部を特定のバンド固定部によって固定する。このとき、バンド部には余長部分が存在している。このため、バンド部の余長部分を他のワイヤーハーネスに巻き締め、巻き締め後にバンド部を特定のバンド固定部によって固定することで、複数のワイヤーハーネスを結束することができる（特許文献１参照）。
【０００４】
しかし、従来及び特許文献１に記載のバンドクリップでは、バンド部に余長部分が生じてしまう。すなわち、従来のバンドクリップではワイヤーハーネスの径が小さい場合、バンド部の長手方向の長さが、ワイヤーハーネスの外周よりも大幅に長くなり、バンド部の先端がバンド固定部に固定されず、余長部分が生じてしまう。特許文献１に記載のバンドクリップであっても同様に、複数のワイヤーハーネスを巻き締めた後に余長部分が生じてしまう。このため、余長部分による見栄えの低下などの問題が生じてしまう。そこで、余長部分をカットすることが従来行われているが、カットした場合には余長部分がゴミとして残ることとなってしまう。
【０００５】
そこで、余長部分のカットを不要としたバンドクリップが提案されている。このバンドクリップは、バンド部の先端にフックを有しており、ワイヤーハーネスの径が小さく、余長部分が生じたとしても、バンド部先端のフックをバンドクリップの所定箇所に固定することで、余長部分のカットを不要としている（特許文献２参照）。
【特許文献１】特開平９−１５９０６４号公報
【特許文献２】特開平８−２９１８０７号公報
【発明の開示】
【発明が解決しようとする課題】
【０００６】
しかし、特許文献２に記載のバンドクリップでは、余長部分が生じた場合、巻き締め後のバンド部の内側、すなわち巻き締め後のバンド部とワイヤーハーネスとの間に、フックを押し込まなければならない。このため、バンド部をワイヤーハーネスに強く巻き締めた場合には、フックの押し込み作業が容易ではなく、作業効率の低下につながってしまう。一方、バンド部をワイヤーハーネスに弱く巻き締めることで、フックの押し込み作業が容易となるが、この場合、ワイヤーハーネスの結束力自体が弱く、ワイヤーハーネスが車両の振動等によって異音を発生させる原因になりかねない。
【０００７】
本発明はこのような従来の課題を解決するためになされたものであり、その目的とするところは、余長部分のカットを不要としつつも、作業効率の低下を抑制し、且つ、異音の発生についても抑制することが可能なバンドクリップを提供することにある。
【課題を解決するための手段】
【０００８】
本発明のバンドクリップは、電線束からなるワイヤーハーネスを巻き締めるバンド部と、前記バンド部を巻締状態で固定するバンド固定部と、対象物に係合するクリップとが一体となったものであって、バンド部は、当該バンド部が巻き締められた状態で外周側に設けられるアーチ部を有し、アーチ部は、当該バンド部が挿通可能な挿通孔を有している。
【０００９】
また、本発明のバンドクリップにおいて、アーチ部は、当該バンド部の長手方向に亘って複数設けられていることが好ましい。
【００１０】
また、本発明のバンドクリップにおいて、アーチ部は、挿通孔の内壁に、バンド部が挿通孔に挿通された場合に当該バンド部を押圧する突起部を有することが好ましい。
【００１１】
また、本発明のバンドクリップにおいて、バンド部は、当該バンド部の先端に設けられ、先端側からその反対側となる後端側に向かって肉厚が次第に厚くなる傾斜構造となったヘッド部を有し、ヘッド部の後端側の肉厚は、挿通孔の肉厚方向の大きさよりも大きくなっていることが好ましい。
【００１２】
また、本発明のバンドクリップにおいて、ヘッド部は、当該バンド部が巻き締められた状態で内周側に係止部を有し、バンド部は、当該バンド部が巻き締められた状態で外周側に、係止部に係止可能な被係止部が長手方向に亘って形成されていることが好ましい。
【００１３】
また、本発明のバンドクリップにおいて、バンド部は、長手方向に亘って、長手方向と直交する方向に形成された複数の溝部を有し、バンド固定部及び各アーチ部は、複数の溝部に選択的に係合する舌部を有することが好ましい。
【発明の効果】
【００１４】
本発明のバンドクリップによれば、バンド部はアーチ部を有し、アーチ部は、バンド部が挿通可能な挿通孔を有しているため、バンド部がバンド固定部に固定され、余長部分が生じたとしても、余長部分をアーチ部の挿通孔に挿通させることで、余長部分をワイヤーハーネスに沿うように収めることができる。よって、余長部分のカットを不要とすることができる。さらに、アーチ部は、バンド部が巻き締められた状態で外周側に設けられているため、ワイヤーハーネスにバンド部を強く巻き締めたとしても、ワイヤーハーネスとバンド部との間にフック等を押し込む必要がなく、作業効率の低下を抑制することができる。さらには、作業効率の向上を考慮してバンド部を弱く巻き締める必要がなく、ワイヤーハーネスとバンド部との間に隙間が生じて異音の発生してしまう事態も抑制することができる。
【００１５】
また、アーチ部はバンド部の長手方向に亘って複数設けられているため、ワイヤーハーネスを巻き締めた後のバンド部先端といずれかのアーチ部との距離が近くなる。これにより、ワイヤーハーネスを巻き締めた後に、バンド部の先端側とアーチ部の距離が遠くなってしまい、バンド部先端側が自由状態となってしまう事態を抑制することができる。
【００１６】
また、アーチ部は挿通孔の内壁に突起部を有するため、挿通孔に挿通されたバンド部を突起部により押圧保持することとなり、バンド部が挿通孔から抜けてしまう頻度を抑制することができる。
【００１７】
また、バンド部は、当該バンド部の先端に設けられ、先端側からその反対側となる後端側に向かって肉厚が次第に厚くなる傾斜構造となったヘッド部を有するため、アーチ部の挿通孔に対して挿通の容易化を図ることができる。特に、ヘッド部の後端側の肉厚は、挿通孔の肉厚方向の大きさよりも大きくなっているため、バンド部に対してアーチ部から抜けようとする力が加わったとしても、アーチ部とヘッド部後端側が接触し、バンド部が挿通孔から抜けてしまう頻度を抑制することができる。
【００１８】
また、ヘッド部は係止部を有し、バンド部は、係止部に係止可能な被係止部が長手方向に亘って形成されているため、バンド部をアーチ部の挿通孔に挿通させた後に、係止部を被係止部に係止させることで、アーチ部がバンド部の先端側を保持しなくとも、バンド部の先端が固定されて、先端側が自由状態となることによる見栄えの低下を抑制することができる。特に、係止部は、バンド部が巻き締められた状態でヘッド部の内周側に位置し、被係止部は、バンド部が巻き締められた状態で外周側に位置するため、係止にあたり、ヘッド部をワイヤーハーネスとバンド部との間に押し込む必要がなく、作業効率の低下についても抑制することができる。
【００１９】
バンド部は、長手方向に亘って、長手方向と直交する方向に形成された複数の溝部を有し、バンド固定部及び各アーチ部は、複数の溝部に選択的に係合する舌部を有する。このため、バンド固定部の舌部に溝部を係合させることができると共に、バンド部を挿通孔に挿通させることで、アーチ部の舌部に溝部を係合させることができる。従って、アーチ部においてもバンド部を固定でき、バンド部が挿通孔から抜けてしまう頻度を抑制することができる。特に、バンド固定部と各アーチ部の舌部によって係合される相手側が、バンド部に形成された複数の溝部であるため、係合相手側を共通とすることできる。
【発明を実施するための最良の形態】
【００２０】
以下、本発明の好適な実施形態を図面に基づいて説明する。図１は、本発明の第１実施形態に係るバンドクリップの外観図を示す構成図であり、（ａ）は正面図を示し、（ｂ）は側面図を示している。図１に示すように、バンドクリップ１は、電線束からなるワイヤーハーネスを結束するものである。このバンドクリップ１は、バンド部１０と、バンド固定部２０と、クリップ３０と、パネル押え部４０とを備え、これらがナイロン樹脂やポリプロピレン樹脂などの樹脂により一体成型された構造となっている。
【００２１】
図２は、図１に示したバンド部１０の詳細を示す斜視図である。図２に示すように、バンド部１０は、外装により覆われたワイヤーハーネスを巻き締めるものであって、ワイヤーハーネスを巻き締めるために長尺形状に形成されている。このバンド部１０は、本体部１１とヘッド部１２と複数のアーチ部１３とを有している。
【００２２】
本体部１１は、薄肉長尺状に形成されており、図１に示すように、長手方向と直交する直交方向に複数の溝部１１ａが形成されている。複数の溝部１１ａは、バンド部１０をワイヤーハーネスに巻き締めた状態において内周となる側（以下、内周側という）に形成されており、長手方向に亘って連続的に設けられている。さらに、本体部１１は、図１及び図２に示すように、複数の溝部１１ａと同様に形成される複数の被係止部１１ｂを有している。複数の被係止部１１ｂは、バンド部１０をワイヤーハーネスに巻き締めた状態において外周となる側（以下、外周側という）に形成されており、長手方向に亘って連続的に設けられている。
【００２３】
ヘッド部１２は、バンド部１０の先端に設けられ、先端側からその反対側となる後端側に向かって肉厚が次第に厚くなる傾斜構造となっている。このヘッド部１２は、図１に示すように係止部１２ａを有しいている。係止部１２ａは、バンド部１０の内周側に設けられた突出片である。
【００２４】
アーチ部１３は、バンド部１０の外周側に設けられると共に、バンド部１０の長手方向に亘って複数設けられている。各アーチ部１３には挿通孔１３ａが形成されている。挿通孔１３ａは、バンド部１０が挿通可能な孔である。この挿通孔１３ａは、図２に示すように、ヘッド部１２の後端側の肉厚ｔ１よりも、肉厚方向の大きさｔ２が小さくなっている。このため、バンド部１０を挿通孔１３ａに挿通させる場合、樹脂よりなるヘッド部１２とアーチ部１３とを互いに弾性変形させながら挿通させることとなる。さらに、アーチ部１３は、舌部１３ｂを有している。舌部１３ｂは、本体部１１の外周側に突出したアーム状部材であって、本体部１１の複数の溝部１１ａに選択的に係合する構造となっている。
【００２５】
また、図１に示すように、バンド固定部２０は、バンド部１０がワイヤーハーネスを巻き締めた巻き締め状態で、バンド部１０を固定するものである。このバンド固定部２０には挿通空間２１が形成されている。挿通空間２１は、ワイヤーハーネスを巻き締める際に、バンド部１０が挿通される空間であり、バンド固定部２０を貫通して形成されている。さらに、バンド固定部２０は、舌部２２を有している。舌部２２は、挿通空間２１内に設けられたアーム状部材であって、本体部１１の複数の溝部１１ａに選択的に係合する構造となっている。
【００２６】
クリップ３０は、対象物である車両パネル等に係合するものであって、バンド固定部２０上に形成されている。このクリップ３０は、中心に位置する支柱３１と、該支柱３１の両側に形成されたアンカー３２とからなっている。このクリップ３０は、例えば、車両パネルに設けられた取付孔に挿入される。挿入時においてアンカー３２は、弾性変形しながら取付孔を通過し、通過時点でアンカー３２が開くことにより、取付孔に係合する構造となっている。
【００２７】
パネル押え部４０は、弾性を有する円盤状の板部材であり、クリップ３０を車両パネル等の取付孔に係合させたとき、車両パネル等に圧接して、その係合を維持すると共に取付孔を塞ぐ役割を果たす。
【００２８】
次に、第１実施形態に係るバンドクリップ１の使用方法について説明する。まず、作業者等は、ビニールテープ等によって各電線が束になったワイヤーハーネスを用意する。次に、作業者等は、バンド固定部２０側の電線載置箇所Ｐ（図１（ｂ）参照）にワイヤーハーネスを載置する。そして、作業者等は、ワイヤーハーネスをバンド部１０によって巻き締める。このとき、作業者等は、バンド固定部２０の挿通空間２１にバンド部１０を挿通させ、挿通空間２１にバンド部１０を挿通したことによって突出したバンド部１０の先端側を引っ張ることによって、ワイヤーハーネスを巻き締める。さらに、巻き締めの際には、バンド部１０の内周側が舌部２２の先端に接触するが、舌部２２がアーム状に形成されているため、アームの撓みによって複数の溝部１１ａの段を乗り越えるようにして、ワイヤーハーネスは巻き締められることとなる。
【００２９】
そして、作業者等がバンド部１０の先端を最大限に引っ張ることで、巻き締めは完了する。従来であれば、この巻き締め完了後にバンド部１０の余長部分をカットするが、第１実施形態に係るバンドクリップ１では、余長部分をカットすることなく、バンド部１０を各アーチ部１３の挿通孔１３ａに順次挿通させていく。このときの様子について図３を参照して説明する。
【００３０】
図３は、第１実施形態に係るバンドクリップ１の使用方法を説明する断面図である。なお、図３においては、アーチ部１３は４つである場合を例に説明する。バンド部１０をバンド固定部２０によって固定した後、作業者等は、最も後端側に存在する第１アーチ部１３１の挿通孔１３ａ１にヘッド部１２を挿通させる。その後、作業者等は、第２〜第４アーチ部１３２〜１３４の挿通孔１３ａ２〜１３ａ４に順次ヘッド部１２を挿通させていく。これにより、図３に示すように、余長部分はワイヤーハーネスに沿うように収まることとなる。また、ヘッド部１２が傾斜構造となっているため、作業者等は、挿通孔１３ａにバンド部１０を容易に挿通することができる。
【００３１】
挿通後、作業者等は、ヘッド部１２の係止部１２ａ（図１参照）を、バンド部１０の外周側に形成される被係止部１１ｂ（図１及び図２参照）に係合させる。これにより、バンド部１０の先端に設けられるヘッド部１２が本体部１１に固定されることとなる。すなわち、バンド部１０の先端側が自由状態となって見栄えが低下してしまう事態を抑制することとなる。
【００３２】
なお、図３に示すような状態において、バンド部１０がアーチ部１３から抜ける方向に力が加わったとしても、傾斜構造、アーチ部１３の舌部１３ｂ、ヘッド部１２の係止部１２ａなどによって、バンド部１０が挿通孔１３ａから抜けてしまう頻度を抑制することとなる。
【００３３】
以上、第１実施形態に係るバンドクリップ１によれば、バンド部１０はアーチ部１３を有し、アーチ部１３は、バンド部１０が挿通可能な挿通孔１３ａを有している。このため、バンド部１０がバンド固定部２０に固定され、余長部分が生じたとしても、余長部分をアーチ部１３の挿通孔１３ａに挿通させることで、余長部分をワイヤーハーネスに沿うように収めることができる。よって、余長部分のカットを不要とすることができる。さらに、アーチ部１３は、バンド部１０の外周側に設けられているため、ワイヤーハーネスにバンド部１０を強く巻き締めたとしても、ワイヤーハーネスとバンド部との間にフック等を押し込む必要がなく、作業効率の低下を抑制することができる。さらには、作業効率の向上を考慮してバンド部１０を弱く巻き締める必要がなく、ワイヤーハーネスとバンド部１０との間に隙間が生じて異音の発生してしまう事態も抑制することができる。
【００３４】
また、アーチ部１３はバンド部１０の長手方向に亘って複数設けられているため、ワイヤーハーネスを巻き締めた後のバンド部１０先端といずれかのアーチ部１３との距離が近くなる。これにより、ワイヤーハーネスを巻き締めた後に、バンド部１０の先端側とアーチ部１３の距離が遠くなってしまい、バンド部１０先端側が自由状態となってしまう事態を抑制することができる。
【００３５】
また、バンド部１０は、当該バンド部１０の先端に設けられ、先端側からその反対側となる後端側に向かって肉厚が次第に厚くなる傾斜構造となったヘッド部１２を有する。このため、アーチ部１３の挿通孔１３ａに対して挿通の容易化を図ることができる。特に、ヘッド部１２の後端側の肉厚は、挿通孔１３ａの肉厚方向の大きさよりも大きくなっているため、バンド部１０に対してアーチ部１３から抜けようとする力が加わったとしても、アーチ部１３とヘッド部１２後端側が接触し、バンド部１０が挿通孔１３ａから抜けてしまう頻度を抑制することができる。
【００３６】
また、ヘッド部１２は係止部１２ａを有し、バンド部１０は、係止部１２に係止可能な被係止部１１ｂが長手方向に亘って形成されているため、バンド部１０をアーチ部１３の挿通孔に挿通させた後に、係止部１２ａを被係止部１１ｂに係止させることで、アーチ部１３がバンド部１０の先端側を保持しなくとも、バンド部１０の先端が固定されて、先端側が自由状態となることによる見栄えの低下を抑制することができる。特に、係止部１２ａは、バンド部１０が巻き締められた状態でヘッド部１２の内周側に位置し、被係止部１１ｂは、バンド部１０の外周側に位置するため、係止にあたり、ヘッド部１２をワイヤーハーネスとバンド部１０との間に押し込む必要がなく、作業効率の低下についても抑制することができる。
【００３７】
また、バンド部１０は、長手方向に亘って、長手方向と直交する方向に形成された複数の溝部１１ａを有し、各アーチ部１３及びバンド固定部２０は、複数の溝部１１ａに選択的に係合する舌部１３ｂ，２２を有する。このため、バンド固定部２０の舌部２２に溝部１１ａを係合させることができると共に、バンド部１０を挿通孔１３ａに挿通させることで、アーチ部１３の舌部１３ｂに溝部１１ａを係合させることができる。従って、アーチ部１３においてもバンド部１０を固定でき、バンド部１０が挿通孔１３ａから抜けてしまう頻度を抑制することができる。特に、各アーチ部１３とバンド固定部２０との舌部１３ｂ，２２によって係合される相手側が、バンド部１０に形成された複数の溝部１１ａであるため、係合相手側を共通とすることできる。
【００３８】
次に、本発明の第２実施形態を説明する。第２実施形態に係るバンドクリップ１は、第１実施形態のものと同様であるが、一部構成が第１実施形態のものと異なっている。以下、相違点について説明する。
【００３９】
図４は、第２実施形態に係るバンドクリップ１のバンド部１０の詳細を示す構成図であり、（ａ）斜視図を示し、（ｂ）は（ａ）のｂ−ｂ断面図を示している。図４（ａ）に示すように、第２実施形態においてバンド部１０は、アーチ部１３を１つだけ有している。また、アーチ部１３は、図４（ｂ）に示すように、挿通孔１３ａの内壁に突起部１３ｃを有している。突起部１３ｃは、バンド部１０が挿通孔１３ａに挿通された場合に当該バンド部１０を押圧するものである。具体的に、突起部１３ｃは、アーチ部１３の内壁から内周側に向かって突出しており、挿通孔１３ａに挿通されたバンド部１０を、バンド部１０の外周側から押圧する構成となっている。
【００４０】
次に、第２実施形態に係るバンドクリップ１の使用方法について説明する。まず、作業者等は、ワイヤーハーネスを用意し、バンド固定部２０側の電線載置箇所Ｐ（図１（ｂ）参照）にワイヤーハーネスを載置する。そして、作業者等は、ワイヤーハーネスをバンド部１０によって巻き締める。その後、作業者等は、余長部分をカットすることなく、バンド部１０をアーチ部１３の挿通孔１３ａに挿通させる。このときの様子について図５を参照して説明する。
【００４１】
図５は、第２実施形態に係るバンドクリップ１の使用方法を説明する断面図である。バンド部１０をバンド固定部２０によって固定した後、作業者等は、アーチ部１３の挿通孔１３ａにヘッド部１２を挿通させる。これにより、図５に示すように、余長部分はワイヤーハーネスに沿うように収まることとなる。さらに、第２実施形態においてアーチ部１３は突起部１３ｃを有しているため、突起部１３ｃによりバンド部１０が押圧され、バンド部１０がアーチ部１３から抜ける方向に力が加わったとしても、バンド部１０が挿通孔１３ａから抜けてしまう頻度を抑制することとなる。
【００４２】
以上、第２実施形態に係るバンドクリップ１によれば、第１実施形態と同様に、余長部分のカットを不要とすることができ、作業効率の低下を抑制することができる。さらには、ワイヤーハーネスとバンド部１０との間に隙間が生じて異音の発生してしまう事態も抑制することができる。また、アーチ部１３とヘッド部１２後端側が接触し、バンド部１０が挿通孔１３ａから抜けてしまう頻度を抑制することができる。また、係止部１２ａを被係止部１１ｂに係止させることで、アーチ部１３がバンド部１０の先端側を保持しなくとも、バンド部１０の先端が固定されて、先端側が自由状態となることによる見栄えの低下を抑制することができる。特に、係止にあたり、ヘッド部１２をワイヤーハーネスとバンド部１０との間に押し込む必要がなく、作業効率の低下についても抑制することができる。
【００４３】
さらに、第２実施形態によれば、アーチ部１３は挿通孔１３ａの内壁に突起部１３ｃを有するため、挿通孔１３ａに挿通されたバンド部１０を突起部１３ｃにより押圧保持することとなり、バンド部１０が挿通孔１３ａから抜けてしまう頻度を抑制することができる。
【００４４】
以上、実施形態に基づき本発明を説明したが、本発明は上記実施形態に限られるものではなく、本発明の趣旨を逸脱しない範囲で、変更を加えてもよい。例えば、上記実施形態において被係止部１１ｂは、長手方向に亘って連続的に設けられる複数の溝であるが、これに限らず、長手方向に亘って連続的に設けられていれば、係止孔などであってもよい。なお、第１実施形態では、被係止部１１ｂを複数の溝によって構成しているため、本体部１１の両面に溝が形成されることとなり、本体部１１に可撓性を持たせる点で有利である。
【００４５】
さらに、上記実施形態では傾斜構造となるヘッド部１２を有しているが、これに限らず、ヘッド部１２を有さしていなくともよい。また、バンド部１０は舌部１３ｂや突起部１３ｃによって保持される構成に限らず、本体部１１の肉厚と貫通孔１３ａの肉厚方向の大きさが同程度となっている構成であってもよい。これによっても、アーチ部１３で本体部１１を保持でき、余長部分が自由状態で残ってしまう事態を防止することができるからである。
【図面の簡単な説明】
【００４６】
【図１】本発明の実施形態に係るバンドクリップの外観図を示す構成図であり、（ａ）は正面図を示し、（ｂ）は側面図を示している。
【図２】図１に示したバンド部の詳細を示す斜視図である。
【図３】第１実施形態に係るバンドクリップの使用方法を説明する断面図である。
【図４】第２実施形態に係るバンドクリップのバンド部の詳細を示す構成図であり、（ａ）斜視図を示し、（ｂ）は（ａ）のｂ−ｂ断面図を示している。
【図５】第２実施形態に係るバンドクリップの使用方法を説明する断面図である。
【符号の説明】
【００４７】
１…バンドクリップ
１０…バンド部
１１…本体部
１１ａ…複数の溝部
１１ｂ…被係止部
１２…ヘッド部
１２ａ…係止部
１３…アーチ部
１３ａ…挿通孔
１３ｂ…舌部
１３ｃ…突起部
２０…バンド固定部
２１…挿通空間
２２…舌部
３０…クリップ
３１…支柱
３２…アンカー
４０…パネル押え部
【図１】
2009115241.tif 000003
【図２】
2009115241.tif 000004
【図３】
2009115241.tif 000005
【図４】
2009115241.tif 000006
【図５】
2009115241.tif 000007